(57)【要約】【課題】根太の高さ位置を変えずにデッキ材の高さ位置を調整できるデッキ高さ調整装置およびデッキを提供すること。【解決手段】デッキ高さ調整装置４は、根太３に沿って取付け可能なガイド部材４０と、ガイド部材４０に上下方向にガイドされる上下可動部材５０と、高さ調整手段６０とを備える。ガイド部材４０は、一対のガイド縦片部４１，４２と、ガイド縦片部４１，４２の下部に連続する底片部４３とを有する。上下可動部材５０は、底片部４３に対し上方に対向して位置する下片部５１１と、ガイド縦片部４１，４２に沿って位置する縦片部５１２，５１３と、デッキ材が固定される上片部５１４とを有する。高さ調整手段６０は、上下可動部材５０のガイド部材４０に対する高さ位置を調整する構成とされる。【選択図】図４
2017002595.tif 000002
【特許請求の範囲】
【請求項１】
根太に沿って取付け可能なガイド部材と、前記ガイド部材に上下方向にガイドされる上下可動部材とを備え、
前記ガイド部材は、一対のガイド縦片部と、前記一対のガイド縦片部の下部に連続する底片部とを有し、
前記上下可動部材は、前記底片部に対し上方に対向して位置する下片部と、前記一対のガイド縦片部に沿って位置する一対の縦片部と、デッキ材が固定される上片部とを有し、
前記上下可動部材の前記ガイド部材に対する高さ位置を調整する高さ調整手段を備える
ことを特徴とするデッキ高さ調整装置。
【請求項２】
請求項１に記載のデッキ高さ調整装置において、
前記高さ調整手段は、前記底片部および前記下片部間に配置される高さ調整部材を備える
ことを特徴とするデッキ高さ調整装置。
【請求項３】
請求項２に記載のデッキ高さ調整装置において、
前記ガイド部材および前記上下可動部材は前記根太に沿って延びて形成され、
前記高さ調整部材は、前記ガイド部材および前記上下可動部材の長手方向における両端側にそれぞれ配置される
ことを特徴とするデッキ高さ調整装置。
【請求項４】
請求項２または請求項３に記載のデッキ高さ調整装置において、
前記高さ調整部材は、前記下片部に螺合して先端が前記底片部に当接する高さ調整ネジによって形成され、
前記高さ調整ネジの上方に位置する前記上片部の部分には、孔が形成される
ことを特徴とするデッキ高さ調整装置。
【請求項５】
請求項１から請求項４のいずれか一項に記載のデッキ高さ調整装置において、
前記ガイド部材は、前記底片部よりも下方に突出した一対の突部を有し、
前記一対の突部間の幅寸法は、当該一対の突部間に前記根太の上部が配置可能な寸法に設定される
ことを特徴とするデッキ高さ調整装置。
【請求項６】
請求項１から請求項５のいずれか一項に記載のデッキ高さ調整装置において、
前記ガイド部材は、前記一対のガイド縦片部よりも当該ガイド部材の幅方向に延出した一対の傾斜片部を有し、
前記一対の傾斜片部は、前記ガイド部材の幅方向に対して傾斜しており、前記傾斜片部の延出した側縁は、当該傾斜片部の前記ガイド縦片部側の部分よりも下方にそれぞれ位置する
ことを特徴とするデッキ高さ調整装置。
【請求項７】
請求項１から請求項６のいずれか一項に記載のデッキ高さ調整装置において、
前記一対の縦片部を前記一対のガイド縦片部に固定する本固定ビスを備える
ことを特徴とするデッキ高さ調整装置。
【請求項８】
請求項１から請求項７のいずれか一項に記載のデッキ高さ調整装置において、
前記上下可動部材は、前記根太と同一断面形状の押出形材によって形成される
ことを特徴とするデッキ高さ調整装置。
【請求項９】
突張り式の根太と、前記根太に取り付けられる請求項１から請求項８のいずれか一項に記載のデッキ高さ調整装置と、前記デッキ高さ調整装置に固定されるデッキ材とを備える
ことを特徴とするデッキ。
【発明の詳細な説明】
【技術分野】
【０００１】
本発明は、バルコニーなどに設置されるデッキ材の高さ位置を調整可能なデッキ高さ調整装置およびデッキに関する。
【背景技術】
【０００２】
従来、デッキとして、複数の根太を間隔を隔てて並設し、根太の長手方向に直交する方向に延びる補強材を前記複数の根太に連結し、複数の根太の上面に複数のデッキ材を配置するデッキが知られている（特許文献１参照）。各根太や補強材の端部には当該端部からの突出量を調整可能な振れ止め具が取り付けられている。各根太や補強材は、各振れ止め具の前記突出量を調整することで、中空矩形状の固定枠の対向する壁部などに突張り固定される。
また、各根太には束柱が設けられている。束柱は、ボルトと、ボルトの下端部に設けられた皿とを備えており、ボルトは、各根太に設けられた雌ねじ部に螺合している。デッキは、この束柱のボルトを各根太の雌ねじ部に対してねじ込み調整することによって各根太およびデッキ材の高さ位置を調整可能に構成されている。
【先行技術文献】
【特許文献】
【０００３】
【特許文献１】特開２００５−０９７８７５号公報
【発明の概要】
【発明が解決しようとする課題】
【０００４】
ところで、特許文献１に記載のデッキでは、各根太の螺合部に対する各束柱のボルトのねじ込み調整によってデッキ材の高さ位置とともに各根太の高さ位置を調整するため、各根太の突張り高さ位置も変位する。
従って、各根太の高さ位置を上げた場合、各根太の突張り位置が建物側の壁部よりも上方に位置する窓の下枠などに当たってしまい、当該各根太の突張りによって下枠が変形し、各根太を適切に突張り固定できないおそれがある。
このため、デッキ材の高さ位置の調整範囲が、根太の突張り位置が建物側の壁部から外れない高さ範囲内に制約されてしまい、デッキ材を所定の高さ位置に配置することが困難である。
【０００５】
本発明の目的は、根太の高さ位置を変えずにデッキ材の高さ位置を調整できるデッキ高さ調整装置およびデッキを提供することにある。
【課題を解決するための手段】
【０００６】
本発明のデッキ高さ調整装置は、根太に沿って取付け可能なガイド部材と、前記ガイド部材に上下方向にガイドされる上下可動部材とを備え、前記ガイド部材は、一対のガイド縦片部と、前記一対のガイド縦片部の下部に連続する底片部とを有し、前記上下可動部材は、前記底片部に対し上方に対向して位置する下片部と、前記一対のガイド縦片部に沿って位置する一対の縦片部と、デッキ材が固定される上片部とを有し、前記上下可動部材の前記ガイド部材に対する高さ位置を調整する高さ調整手段を備えることを特徴とする。
【０００７】
本発明のデッキ高さ調整装置によれば、高さ調整手段によって上下可動部材が一対のガイド縦片部に沿って上下方向にガイドされながらガイド部材に対して高さ位置が調整されるので、ガイド部材が取り付けられる根太の高さ位置を変えることなく、上下可動部材に固定されるデッキ材の高さ位置を調整できる。
【０００８】
本発明のデッキ高さ調整装置では、前記高さ調整手段は、前記底片部および前記下片部間に配置される高さ調整部材を備えることが好ましい。
このような構成によれば、底片部および下片部間に配置される高さ調整部材によって上下可動部材を支持しつつ上下可動部材のガイド部材に対する高さ位置を簡単に調整できる。
【０００９】
本発明のデッキ高さ調整装置では、前記ガイド部材および前記上下可動部材は前記根太に沿って延びて形成され、前記高さ調整部材は、前記ガイド部材および前記上下可動部材の長手方向における両端側にそれぞれ配置されることが好ましい。
このような構成によれば、ガイド部材および上下可動部材の一端側に配置される高さ調整部材とガイド部材および上下可動部材の他端側に配置される高さ調整部材とによって、上下可動部材を水平状態に容易に調整できる。従って、デッキ材を水平状態に容易に設置できる。
例えば根太が水平方向に対して傾いて突張り固定されている場合には、ガイド部材は、前記傾いた根太に沿って取り付けられるが、ガイド部材および上下可動部材の一端側に配置される高さ調整部材による高さ調整量と、ガイド部材および上下可動部材の他端側に配置される高さ調整部材による高さ調整量とを異ならせることで、ガイド部材に対する上下可動部材の水平方向に対する角度を調整でき、上下可動部材を水平状態にできる。
【００１０】
本発明のデッキ高さ調整装置では、前記高さ調整部材は、前記下片部に螺合して先端が前記底片部に当接する高さ調整ネジによって形成され、前記高さ調整ネジの上方に位置する前記上片部の部分には、孔が形成されることが好ましい。
このような構成によれば、前記孔から高さ調整ネジを操作するためのドライバーなどを差し込むことができ、ガイド部材に対する上下可動部材の高さ位置の調整を簡単に行うことができる。
【００１１】
本発明のデッキ高さ調整装置では、前記ガイド部材は、前記底片部よりも下方に突出した一対の突部を有し、前記一対の突部間の幅寸法は、当該一対の突部間に前記根太の上部が配置可能な寸法に設定されることが好ましい。
このような構成によれば、ガイド部材を根太に取り付ける場合には、根太の上部が一対の突部間に配置されるため、デッキ高さ調整装置の根太に対する幅方向への位置ズレを抑制できる。
【００１２】
本発明のデッキ高さ調整装置では、前記ガイド部材は、前記一対のガイド縦片部よりも当該ガイド部材の幅方向に延出した一対の傾斜片部を有し、前記一対の傾斜片部は、前記ガイド部材の幅方向に対して傾斜しており、前記傾斜片部の延出した側縁は、当該傾斜片部の前記ガイド縦片部側の部分よりも下方にそれぞれ位置することが好ましい。
このような構成によれば、根太に対する取付ビスを、傾斜片部の面外方向に沿って斜め向きに配置できる。このため、例えば、前記傾斜片部ではなくガイド部材の幅方向に沿って延出した延出片部を有するガイド部材と比べ、取付ビスをねじ込み操作するドライバーなどをガイド縦片部から離間した位置に配置でき、当該ドライバーがガイド縦片部に干渉しにくい状態にでき、ガイド部材を根太に容易に取り付けることができる。
【００１３】
本発明のデッキ高さ調整装置では、前記一対の縦片部を前記一対のガイド縦片部に固定する本固定ビスを備えることが好ましい
このような構成によれば、高さ調整ネジによってガイド部材に対する上下可動部材の高さ位置を調整した後に、本固定ビスによって上下可動部材をガイド部材に本固定できる。
【００１４】
本発明のデッキ高さ調整装置では、前記上下可動部材は、前記根太と同一断面形状の押出形材によって形成されることが好ましい。
このような構成によれば、上下可動部材および根太を同金型で形成できるのでコスト削減でき、しかも、根太の上部と上下可動部材の上部とが同形状となるので、デッキ材を根太に固定する場合と同様に、デッキ材を上下可動部材に固定でき、施工作業性を向上できる。
【００１５】
本発明のデッキは、突張り式の根太と、前記根太に取り付けられる前述した本発明のデッキ高さ調整装置と、前記デッキ高さ調整装置に固定されるデッキ材とを備えることを特徴とする。
本発明のデッキによれば、前述した本発明のデッキ高さ調整装置と同様の作用効果を発揮できるデッキを構成できる。
【発明の効果】
【００１６】
本発明によれば、根太の高さ位置を変えずにデッキ材の高さ位置を調整できるデッキ高さ調整装置およびデッキを提供できる。
【図面の簡単な説明】
【００１７】
【図１】本発明の実施形態に係るデッキを示す斜視図。
【図２】前記実施形態に係るデッキを分解して示す斜視図。
【図３】前記実施形態に係るデッキのデッキ支持材を示す斜視図。
【図４】前記実施形態に係るデッキのデッキ支持材を分解して示す斜視図。
【図５】前記実施形態に係るデッキのデッキ支持材を示す断面図。
【図６】前記実施形態に係るデッキのデッキ支持材の設置状態を示す説明図。
【発明を実施するための形態】
【００１８】
［本実施形態の構成］
以下、本発明の実施形態を図面に基づいて説明する。
図１，２において、本実施形態に係るデッキ１は、集合住宅等の建物のバルコニー２に設置されるものである。
バルコニー２は、コンクリート製であり、建物側の壁部２１と、屋外側（手摺側）の壁部２２と、壁部２１，２２に連続する底部２３とを備えている。壁部２１，２２は、バルコニー２の出幅方向において互いに対向して配置されている。
【００１９】
デッキ１は、壁部２１，２２間に設置される複数の突張り式の根太３と、複数の根太３にそれぞれ取り付けられるデッキ高さ調整装置４と、デッキ高さ調整装置４に固定される複数のデッキ材７とを備えている。
【００２０】
複数の根太３は、バルコニー２の間口方向において所定間隔を隔てて並設されており、各根太３は、バルコニー２の出幅方向に沿って配置されている。各根太３は、図３〜５に示すように、根太本体３１と、長さ調整具３２と、付勢調整具３３と、根太高さ調整具３４とを備えている。
【００２１】
根太本体３１は、アルミ押出形材によって出幅方向に延びて中空に形成されており、図５に示すように、下片部３１１と、縦片部３１２，３１３と、上片部３１４と、取付片部３１５，３１６とを有している。下片部３１１および上片部３１４の両側縁は、一対の縦片部３１２，３１３に連続している。下片部３１１は、根太本体３１の長手方向に延びた溝部を形成している。取付片部３１５，３１６は、縦片部３１２，３１３の上側部分から根太本体３１の幅方向に水平に延出して形成されている。なお、根太本体３１の端部３１Ａ，３１Ｂには固定金具が設けられている。
【００２２】
長さ調整具３２は、図３，４に示すように、壁部２２側に位置する根太本体３１の端部３１Ａに取り付けられている。長さ調整具３２は、根太本体３１の端部３１Ａにおける固定金具に螺合したねじ軸３２１と、ねじ軸３２１の先端に取り付けられた皿状の当り部材３２２とを備えている。長さ調整具３２は、ねじ軸３２１の回転によって端部３１Ａから当り部材３２２までの長さ寸法を調整することで、根太本体３１全体の長さを調整する構成とされている。当り部材３２２には、ゴム製の緩衝材（図示省略）が装着されており、この緩衝材が壁部２２に当接している。なお、ねじ軸３２１の回転はロックナットの操作によって止められる。
【００２３】
付勢調整具３３は、図３，４に示すように、壁部２１側に位置する根太本体３１の端部３１Ｂに取り付けられている。付勢調整具３３は、根太本体３１の端部３１Ｂおよび当該端部３１Ｂにおける固定金具にスライド可能に連結されたスライド部材３３１と、スライド部材３３１および根太本体３１の端部３１Ｂ間に介在された付勢部材としてのコイルばね３３２と、スライド部材３３１に螺合したねじ軸３３３と、ねじ軸３３３の先端に取り付けられた皿状の当り部材３３４とを備えている。付勢調整具３３は、根太３が壁部２１，２２間に突張られた状態でねじ軸３３３の回転によってスライド部材３３１を端部３１Ｂに対してスライドさせ、このスライドによりコイルばね３３２の弾性付勢力を調整することで、根太３の突張り力を調整する構成とされている。当り部材３３４には、ゴム製の緩衝材（図示省略）が装着されており、この緩衝材が壁部２１に当接している。なお、ねじ軸３３３の回転はロックナットの操作によって止められる。
【００２４】
根太高さ調整具３４は、根太本体３１の長手方向に沿って所定間隔を隔てて複数配置されおり、根太本体３１の下片部３１１に取付板３４０によって取り付けられている。根太高さ調整具３４は、根太本体３１に螺合したねじ軸３４１と、ねじ軸３４１の先端に取り付けられた当り部材３４２とを備えている。根太高さ調整具３４は、ねじ軸３４１の回転によって根太本体３１の下面から当り部材３４２までの高さ寸法を調整することで、根太３の高さ位置を調整する構成とされている。なお、当り部材３４２は、ねじ軸３４１を回転させる操作摘みとしても機能する構成とされている。
【００２５】
デッキ高さ調整装置４は、根太３の高さ位置を調整する根太高さ調整具３４とは異なり、根太３に対するデッキ材７の高さ位置を調整するものである。デッキ高さ調整装置４は、図３〜５に示すように、根太３に沿って取付け可能なガイド部材４０と、ガイド部材４０に上下方向にガイドされる上下可動部材５０と、上下可動部材５０のガイド部材４０に対する高さ調整手段６０とを備える。
【００２６】
ガイド部材４０は、アルミ押出形材によって出幅方向に延びて形成されている。ガイド部材４０は、図５に示すように、一対のガイド縦片部４１，４２と、ガイド縦片部４１，４２の下部に連続した底片部４３と、底片部４３よりも下方に突出した一対の突部４４，４５と、ガイド縦片部４１，４２よりもガイド部材４０の幅方向に延出した傾斜片部４６，４７とを有している。
【００２７】
ガイド縦片部４１，４２間の幅寸法は、当該ガイド縦片部４１，４２間に上下可動部材５０が配置可能となるように、上下可動部材５０の幅寸法と略同じ寸法に設定されている。
突部４４，４５は、底片部４３の両側縁に沿って形成されている。突部４４，４５間の幅寸法は、根太本体３１の上片部３１４の幅寸法と略同じ寸法に設定されている。
傾斜片部４６，４７は、突部４４，４５にそれぞれ連続して形成されており、ガイド部材４０の幅方向に対して傾斜している。傾斜片部４６，４７の延出した側縁は、当該傾斜片部４６，４７の内側部分（ガイド縦片部４１，４２側の部分）よりも下方に位置する。傾斜片部４６，４７の前記側縁および突部４４，４５の先端の高さ位置は同じである。
【００２８】
上下可動部材５０は、アルミ押出形材によって出幅方向に延びて中空に形成されており、根太本体３１と同一断面形状の押出形材によって形成されている。上下可動部材５０は、図５に示すように、下片部５１１と、縦片部５１２，５１３と、上片部５１４と、延出片部５１５，５１６とを有している。
【００２９】
下片部５１１および上片部５１４の両側縁は、一対の縦片部５１２，５１３に連続している。下片部５１１は、上下可動部材５０の長手方向に延びた溝部を形成しており、当該下片部５１１の長手方向における両端部には、高さ調整手段６０としての高さ調整ネジ６０Ａ（高さ調整部材）がそれぞれ螺合している。上片部５１４のうち高さ調整ネジ６０Ａの上方に位置する部分には、ドライバー等が挿通可能な孔５１４Ａが形成されている。延出片部５１５，５１６は、縦片部５１２，５１３の上側部分から上下可動部材５０の幅方向に水平に延出して形成されている。
【００３０】
上下可動部材５０はガイド部材４０のガイド縦片部４１，４２間に配置されている。下片部５１１は、底片部４３に対し上方に対向して位置し、底片部４３に沿って同方向に延びて形成されている。各高さ調整ネジ６０Ａのうち下片部５１１よりも下側部分は、当該下片部５１１および底片部４３間に配置されている。各高さ調整ネジ６０Ａの先端（下端）は、ガイド部材４０の底片部４３に当接している。また、縦片部５１２，５１３は、ガイド縦片部４１，４２の内面に沿って位置しており、本実施形態では、縦片部５１２，５１３の外面は、ガイド縦片部４１，４２の内面に摺動可能に当接している。縦片部５１２，５１３の下端から延出片部５１５，５１６までの高さ寸法は、ガイド縦片部４１，４２の下端から上端までの高さ寸法よりも大きく設定されている。
【００３１】
このデッキ高さ調整装置４では、高さ調整ネジ６０Ａの回転操作により、上下可動部材５０が、ガイド縦片部４１，４２にガイドされながらガイド部材４０に対して上下方向に変位して仮位置決めされ、本固定ビス６１によって縦片部５１２，５１３がガイド縦片部４１，４２に本固定される。
【００３２】
複数のデッキ材７は、図２に示すように、バルコニー２の出幅方向に複数並設されている。各デッキ材７は、木粉を含有した合成樹脂製の押出形材によってそれぞれ同一形状に形成されており、バルコニー２の間口方向に沿って配置されている。
バルコニー２の出幅方向において互いに隣接するデッキ材７の側縁部同士は、上下可動部材５０の上片部５１４にビス止めされる連結金具７１によって連結されている。複数のデッキ材７のうちバルコニー２の出幅方向における両端部に配置されるデッキ材７は、固定ネジ７２によって上下可動部材５０の上片部５１４にネジ止めされている。また、バルコニー２の間口方向において互いに隣接するデッキ材７の端部間には、目地塞ぎ材（図示省略）が設けられている。
【００３３】
［本実施形態の施工］
以下、本実施形態に係るデッキ１の施工について説明する。
先ず、施工現場において複数の根太３をバルコニー２に突張り固定する。具体的には、先ず複数の根太３をバルコニー２の間口方向に沿って所定間隔を隔てて配置する。長さ調整具３２は壁部２２に対向させて配置し、付勢調整具３３は壁部２１に対向して配置する。続いて、根太高さ調整具３４によって各根太３の高さ位置を調整する。各根太３の高さ位置は、長さ調整具３２の当り部材３２２および付勢調整具３３の当り部材３３４が壁部２１，２２から上下方向に外れない高さ範囲内で設定する。
次に、長さ調整具３２によって根太３の長さを調整し、当り部材３２２を壁部２２に当てるとともに、当り部材３３４を壁部２１に当てる。続いて、付勢調整具３３によって壁部２１，２２間における根太３の突張り力を調整する。
このようにして、複数の根太３を壁部２１，２２に突張り固定する。
【００３４】
次に、複数のガイド部材４０を複数の根太３に取り付ける。具体的には、先ず底片部４３を根太本体３１の上片部３１４に載置するとともに突部４４，４５間に配置して、ガイド部材４０を根太３に対して位置決めする。このとき、突部４４，４５の先端および傾斜片部４６，４７の側縁は、根太本体３１の取付片部３１５，３１６の上面に当接する。続いて、傾斜片部４６，４７の長手方向における両端側の部分を取付ビス４８によって取付片部３１５，３１６にビス止めする。取付ビス４８は、傾斜片部４６，４７の面外方向に沿って斜め向きに傾斜片部４６，４７にねじ込まれる。
このようにして、ガイド部材４０を根太３に取り付ける。
【００３５】
次に、複数の上下可動部材５０を複数のガイド部材４０に固定する。具体的には、先ず、ガイド縦片部４１，４２間に下片部５１１、縦片部５１２，５１３を配置し、下片部５１１を底片部４３に上下方向に対向させ、縦片部５１２，５１３をガイド縦片部４１，４２に摺動可能に当接させる。続いて、上片部５１４の各孔５１４Ａからドライバーなどを差し込み、各高さ調整ネジ６０Ａを回転操作し、上下可動部材５０のガイド部材４０に対する高さ調整を行って、上下可動部材５０をガイド部材４０に仮位置決めする。
【００３６】
ここで、上下可動部材５０の長手方向における端部５１Ａ側の高さ調整ネジ６０Ａの回転操作によって当該端部５１Ａ側の高さ位置を調整し、上下可動部材５０の長手方向における端部５１Ｂ側の高さ調整ネジ６０Ａによって当該端部５１Ｂの高さ位置を調整して、上下可動部材５０を水平状態にする。
【００３７】
本実施形態では、図６に示すように、上下可動部材５０に固定されるデッキ材７の上面７Ａの高さ位置が建物の床面８の高さ位置に対して同じ高さ位置または低い位置であって、上面７Ａの高さ位置と床面８の高さ位置との差分Ｌが１０ｍｍ内の高さ範囲内となるように、上下可動部材５０の高さ位置を調整する。これにより、例えば、建物の開口に設置されるサッシである引き違い窓１０の下枠１１がノンレール構造であって床面８とフラットに配置されている場合には、デッキ材７も床面８および下枠１１とフラットに配置できる。
【００３８】
次に、本固定ビス６１によって上下可動部材５０の縦片部５１２，５１３をガイド縦片部４１，４２にビス止めして、上下可動部材５０をガイド部材４０に本固定する。
このようにして、上下可動部材５０をガイド部材４０に固定する。
【００３９】
次に、複数のデッキ材７をバルコニー２の間口方向に沿って延びた状態で出幅方向に並べて配置し、出幅方向におけるデッキ材７間には連結金具７１を配置する。続いて、各連結金具７１を複数の上下可動部材５０の上片部５１４にビス止めし、かつ複数のデッキ材７のうち出幅方向の両端部に位置するデッキ材７を固定ネジ７２によって複数のデッキ材７に固定する。
このようにして、デッキ１をバルコニー２に施工する。
【００４０】
［本実施形態の効果］
（１）本実施形態では、デッキ高さ調整装置４は、根太３に沿って取付け可能なガイド部材４０と、ガイド部材４０に上下方向にガイドされる上下可動部材５０とを備え、ガイド部材４０は、一対のガイド縦片部４１，４２と、ガイド縦片部４１，４２の下部に連続する底片部４３とを有し、上下可動部材５０は、底片部４３に対し上方に対向して位置する下片部５１１と、ガイド縦片部４１，４２に沿って位置する縦片部５１２，５１３と、デッキ材７が固定される上片部５１４とを有し、上下可動部材５０のガイド部材４０に対する高さ位置を調整する高さ調整手段６０を備えることを特徴とする。
上記構成を有するため、高さ調整手段６０によって上下可動部材５０が一対のガイド縦片部４１，４２に沿って上下方向にガイドされながらガイド部材４０に対して高さ位置が調整されるので、ガイド部材４０が取り付けられる根太３の高さ位置を変えることなく、上下可動部材５０に固定されるデッキ材７の高さ位置を調整できる。
さらに、本実施形態では、以下の各効果を発揮できる。
（２）高さ調整手段６０は、底片部４３および下片部５１１間に配置される高さ調整ネジ６０Ａを備える。このため、底片部４３および下片部５１１間に配置される高さ調整ネジ６０Ａによって上下可動部材５０を支持しつつ上下可動部材５０のガイド部材４０に対する高さ位置を簡単に調整できる。
（３）ガイド部材４０および上下可動部材５０は根太３に沿って延びて形成され、高さ調整ネジ６０Ａは、ガイド部材４０および上下可動部材５０の長手方向における両端側にそれぞれ配置される。このため、ガイド部材４０および上下可動部材５０の長手方向における一端側に配置される高さ調整ネジ６０Ａとガイド部材４０および上下可動部材５０の長手方向における他端側に配置される高さ調整ネジ６０Ａとによって、上下可動部材５０を水平状態に容易に調整できる。従って、デッキ材７を水平状態に容易に設置できる。
例えば根太３が水平方向に対して傾いて突張り固定されている場合には、ガイド部材４０は、傾いた根太３に沿って取り付けられるが、下片部５１１の端部５１Ａ側に設けられる高さ調整ネジ６０Ａによる高さ調整量と、下片部５１１の端部５１Ｂ側に設けられる高さ調整ネジ６０Ａによる高さ調整量とを異ならせることで、ガイド部材４０に対する上下可動部材５０の水平方向に対する角度を調整でき、上下可動部材５０を水平状態にできる。
（４）高さ調整ネジ６０Ａの上方に位置する上片部５１４の部分には、孔５１４Ａが形成されている。このため、孔５１４Ａから高さ調整ネジ６０Ａを操作するためのドライバーなどを差し込むことができ、ガイド部材４０に対する上下可動部材５０の高さ位置の調整を簡単に行うことができる。
（５）ガイド部材４０は、底片部４３よりも下方に突出した一対の突部４４，４５を有し、突部４４，４５は、ガイド部材４０の幅方向に対向しており、突部４４，４５間の幅寸法は、当該突部４４，４５間に根太３の上部である上片部３１４が配置可能な寸法に設定されている。このため、ガイド部材４０を根太３に取り付ける場合には、根太３の上片部３１４が突部４４，４５間に配置されるため、デッキ高さ調整装置４の根太３に対する幅方向への位置ズレを抑制できる。
（６）ガイド部材４０は、ガイド縦片部４１よりも当該ガイド部材４０の幅方向に延出した傾斜片部４６と、ガイド縦片部４２よりも当該ガイド部材４０の幅方向に延出した傾斜片部４７とを有し、傾斜片部４６，４７は、ガイド部材４０の幅方向に対して傾斜しており、傾斜片部４６の延出した側縁は、当該傾斜片部４６のガイド縦片部４１側の部分よりも下方に位置しており、傾斜片部４７の延出した側縁は、当該傾斜片部４７のガイド縦片部４２側の部分よりも位置している。このため、根太３に対する取付ビス４８を、傾斜片部４６，４７の面外方向に沿って斜め向きに配置できる。例えば、傾斜片部４６，４７ではなくガイド部材４０の幅方向に沿って延出した延出片部を有するガイド部材と比べ、取付ビス４８をねじ込み操作するドライバーなどをガイド縦片部４１，４２からガイド部材４０の幅方向に離間した位置に配置でき、当該ドライバーがガイド縦片部４１，４２に干渉しにくい状態にでき、ガイド部材４０を根太３に容易に取り付けることができる。また、傾斜片部４６，４７を有することで、当該傾斜片部４６，４７の上方に上下可動部材５０の延出片部５１５，５１６が位置していても、当該延出片部５１５，５１６が邪魔とならずに取付ビス４８を傾斜片部４６，４７および取付片部３１５，３１６にねじ込むことができる。
（７）上下可動部材５０の縦片部５１２，５１３をガイド縦片部４１，４２に固定する本固定ビス６１を備えている。このため、高さ調整ネジ６０Ａによってガイド部材４０に対する上下可動部材５０の高さ位置を調整した後に、本固定ビス６１によって上下可動部材５０をガイド部材４０に本固定できる。
（８）上下可動部材５０は、根太３と同一断面形状の押出形材によって形成される。上下可動部材５０および根太３を同金型で形成できるのでコスト削減でき、しかも、根太３の上部と上下可動部材５０の上部とが同形状となるので、デッキ材７を根太３に固定する場合と同様に、デッキ材７を上下可動部材５０に固定でき、施工作業性を向上できる。
（９）根太本体３１の高さ位置を調整をする根太高さ調整具３４を備える根太３であっても、デッキ高さ調整装置４を用いることで、当該根太３の高さ位置を変えずにデッキ材７の高さ位置を調整できる。
また、デッキ高さ調整装置４によって前述したように施工現場においてデッキ材７の高さ位置を調整でき、施工性を向上できる。
【００４１】
［変形例］
本発明は、以上の実施形態で説明した構成のものに限定されず、本発明の目的を達成できる範囲での変形例は、本発明に含まれる。
例えば、前記実施形態では、高さ調整ネジ６０Ａは、下片部５１１の長手方向における両端側に設けられているが、これに限らず、例えば、上下可動部材５０の長手方向に所定間隔を隔てて二つ以上の高さ調整ネジ６０Ａが設けられていてもよい。
【００４２】
前記実施形態では、前記高さ調整ネジ６０Ａの上方に位置する上片部５１４の部分には孔５１４Ａが形成されているが、この構成を省略してもよい。この場合には、自在継手を備えたドライバーなどを、上下可動部材５０の端部５１Ａ，５１Ｂから差し込んで高さ調整ネジ６０Ａを回転操作することが可能であるが、例えば、高さ調整ネジ６０Ａの頭部に手動操作可能な摘みを設けてもよい。
【００４３】
前記実施形態では、高さ調整手段６０は、高さ調整部材として高さ調整ネジ６０Ａを備えているが、これに限らず、例えば高さ調整ボルトを備えていてもよい。
また、高さ調整手段６０は、高さ調整ネジ６０Ａに代えて、ガイド部材４０および上下可動部材５０の小口から底片部４３および下片部５１１間に配置される楔部材を高さ調整部材として備え、楔部材を前記小口に出し入れして差し込み量を調整することによって上下可動部材５０のガイド部材４０に対する高さ位置を調整する構成とされてもよい。
さらに、高さ調整手段６０は、高さ調整ネジ６０Ａに代えて、一対のガイド縦片部４１，４２に上下方向に延びて形成される長孔と、当該長孔に挿通されて一対の縦片部５１２，５１３に螺合する仮固定ネジとによって構成されていてもよい。
【００４４】
前記実施形態では、ガイド部材４０の底片部４３よりも下方に突出した一対の突部４４，４５間の幅寸法は、根太本体３１の上片部３１４の幅寸法と略同じ寸法に設定されているが、突部４４，４５間に根太３の上部である上片部３１４が配置可能な寸法であればよく、例えば、ガイド部材４０の根太３に対する幅方向の位置ズレを抑制可能な範囲で、上片部３１４の幅寸法よりも大きく設定されてもよい。
また、前記突部４４，４５の構成を省略してもよい。
【００４５】
前記実施形態では、ガイド部材４０の傾斜片部４６，４７が当該ガイド部材４０の幅方向に対して傾斜しているが、これに限らず、例えば、ガイド部材４０の幅方向に沿って水平に延出した延出片部を有していてもよい。
また、傾斜片部４６，４７のいずれか一方または双方の構成を省略してもよい。この場合には、ガイド部材４０の底片部４３を根太本体３１の上片部３１４にビス止めしてもよい。
さらに、ガイド部材４０は、傾斜片部４６，４７のいずれか一方に代えて、根太本体３１の取付片部３１５，３１６のいずれか一方に嵌合する嵌合片部を有していてもよい。また、この場合、傾斜片部４６，４７のいずれか他方に代えて、ガイド部材４０の幅方向に沿って延出した延出片部を有していてもよい。
【００４６】
前記実施形態では、本固定ビス６１によって上下可動部材５０がガイド部材４０に本固定されているが、これに限らず、例えば、リベット止めによって本固定してもよい。
【００４７】
前記実施形態では、上下可動部材５０の断面形状は、根太本体３１の断面形状と同じ形状に形成されているが、これに限らず、これらの断面形状が異なっていてもよい。この場合であっても、少なくとも上下可動部材５０の上部と根太本体３１の上部とが同じ形状であれば、デッキ材７を根太３の上部に固定する場合と同様に、デッキ材７を上下可動部材５０に固定できる。
【符号の説明】
【００４８】
１…デッキ、１０…引き違い窓、１１…下枠、２…バルコニー、２１…壁部、２２…壁部、２３…底部、３…根太、３１…根太本体、３１１，５１１…下片部、３１２，３１３，５１２，５１３…縦片部、３１４，５１４…上片部、３１５，３１６…取付片部、３１Ａ，３１Ｂ，５１Ａ，５１Ｂ…端部、３２…長さ調整具、３２１，３３３，３４１…ねじ軸、３２２，３３４，３４２…当り部材、３３…付勢調整具、３３１…スライド部材、３３２…コイルばね、３４…根太高さ調整具、３４０…取付板、４…デッキ高さ調整装置、４０…ガイド部材、４１，４２…ガイド縦片部、４３…底片部、４４，４５…突部、４６，４７…傾斜片部、４８…取付ビス、５０…上下可動部材、５１４Ａ…孔、５１５，５１６…延出片部、６０…高さ調整手段、６０Ａ…高さ調整ネジ（高さ調整部材）、６１…本固定ビス、７…デッキ材、７１…連結金具、７２…固定ネジ、７Ａ…上面、８…床面、Ｌ…差分。
【図１】
2017002595.tif 000003
【図２】
2017002595.tif 000004
【図３】
2017002595.tif 000005
【図４】
2017002595.tif 000006
【図５】
2017002595.tif 000007
【図６】
2017002595.tif 000008